(57)【要約】【課題】種々の顕微鏡やこれを用いた光学検査装置で共用可能であり、操作性の良好な操作装置を提供する。【解決手段】制御部１０は、顕微鏡本体６を構成する各構成ユニットに関する顕微鏡情報の取得、該顕微鏡情報の送信、及び、制御情報の受信を行い、受信した制御情報に基づいて各構成ユニットの動作を制御する。コントローラ１３は、制御部１０から送信された顕微鏡情報の受信、各構成ユニットの動作に対する指示の取得に利用される操作ボタン表示を顕微鏡情報に基づいて配置した操作画面の表示、及び、操作ボタン表示を利用して行う該指示の取得を行い、取得した指示に対応している制御情報を制御部１０へ送信する。【選択図】      図１
2008158379.tif 000002
【特許請求の範囲】
【請求項１】
観察対象の標本の像を得る顕微鏡装置であって、
前記顕微鏡装置を構成する各構成ユニットに関する情報である顕微鏡情報を取得する顕微鏡情報取得手段と、
前記顕微鏡情報の受信と、前記構成ユニットの動作を制御する制御情報の送信とを行うコントローラと、
前記コントローラへ前記顕微鏡情報を送信し該コントローラから前記制御情報を受信する本体側送受信手段と、
前記本体側送受信手段が受信した制御情報に基づいて前記構成ユニットの動作を制御する本体側制御手段と、
を備えており、
前記コントローラは、
前記本体側送受信手段から送信された前記顕微鏡情報を受信し前記制御情報を該本体側送受信手段へ送信するコントローラ側送受信手段と、
前記構成ユニットの動作に対する指示の取得に利用される操作ボタン表示を、前記コントローラ側送受信手段が受信した顕微鏡情報に基づいて配置した操作画面を表示する表示手段と、
前記操作ボタン表示を利用して前記指示を取得する指示取得手段と、
前記コントローラ側送受信手段を制御して、前記指示取得手段が取得した指示に対応している前記制御情報を送信させるコントローラ側制御手段と、
を備えている、
ことを特徴とする顕微鏡装置。
【請求項２】
前記顕微鏡情報は、前記構成ユニットを識別する構成ユニット識別情報を含んでいることを特徴とする請求項１に記載の顕微鏡装置。
【請求項３】
前記コントローラは、前記操作ボタン表示の形態を表している情報が前記構成ユニット毎に記憶されている記憶部を更に備えており、
前記表示手段は、前記記憶部に記憶されている情報により表されている操作ボタン表示の形態から、前記コントローラ側送受信手段が受信した顕微鏡情報に含まれている構成ユニット識別情報により識別される構成ユニットについての操作ボタン表示の形態が選択されて配置された操作画面を表示する、
ことを特徴とする請求項２に記載の顕微鏡装置。
【請求項４】
前記顕微鏡情報は、前記構成ユニットの動作に対する指示の取得に利用される操作ボタン表示の形態を表している情報を少なくとも含んでおり、
前記顕微鏡情報取得手段は、前記顕微鏡装置を構成している構成ユニットに関する顕微鏡情報を、前記構成ユニット毎の顕微鏡情報が記憶されている記憶部から取得し、
前記表示手段は、前記コントローラ側送受信手段が受信した顕微鏡情報に含まれている情報により表されている形態の操作ボタン表示を配置した操作画面を表示する、
ことを特徴とする請求項１に記載の顕微鏡装置。
【請求項５】
前記表示手段は、前記構成ユニットのうち前記顕微鏡が備えているもののみについての操作ボタン表示を、前記コントローラ側送受信手段が受信した顕微鏡情報に基づいて配置した操作画面を表示することを特徴とする請求項１に記載の顕微鏡装置。
【請求項６】
前記顕微鏡情報は、前記顕微鏡装置の機種を識別する機種識別情報を含んでいることを特徴とする請求項１に記載の顕微鏡装置。
【請求項７】
前記コントローラは、前記機種識別情報と当該機種識別情報によって識別される機種の顕微鏡装置を構成している構成ユニットとの対応関係を示す情報が記憶されている記憶部を更に備えており、
前記操作画面には、前記コントローラ側送受信手段が受信した顕微鏡情報に含まれていた機種識別情報との対応関係が前記記憶部に記憶されている情報で示されている構成ユニットのみについての操作ボタン表示が配置される、
ことを特徴とする請求項６に記載の顕微鏡装置。
【請求項８】
前記顕微鏡装置に対して着脱自在であって、前記コントローラが備えている前記指示取得手段とは独立して前記構成ユニットの動作に対する指示を取得する副指示取得手段と、
前記副指示取得手段の有無を検出する検出手段と、
を更に備えており、
前記本体側送受信手段は、前記検出手段による検出結果を示している検出情報を更に前記コントローラへ送信し、
前記コントローラ側送受信手段は、前記本体側送受信手段から送信された検出情報を更に受信し、
前記表示手段は、前記コントローラ側送受信手段が受信した検出情報に応じて前記操作画面を変更して表示する、
ことを特徴とする請求項１に記載の顕微鏡装置。
【請求項９】
前記表示手段は、前記コントローラ側送受信手段が受信した検出情報が前記副指示取得手段の検出を示していた場合には、前記顕微鏡装置が備えている構成ユニットのうち、該副指示取得手段が動作に対する指示を取得するものを除いた構成ユニットのみについての前記操作ボタン表示を配置した操作画面を表示することを特徴とする請求項８に記載の顕微鏡装置。
【請求項１０】
前記コントローラに対して着脱自在であって、該コントローラが備えている前記指示取得手段とは独立して前記構成ユニットの動作に対する指示を取得する副指示取得手段を更に備えており、
前記コントローラは、前記副指示取得手段の有無を検出する検出手段を更に備えており、
前記表示手段は、前記検出手段による検出結果に応じて前記操作画面を変更して表示する、
ことを特徴とする請求項１に記載の顕微鏡装置。
【請求項１１】
前記表示手段は、前記検出手段が前記副指示取得手段の存在を検出した場合には、前記顕微鏡装置が備えている構成ユニットのうち、該副指示取得手段が動作に対する指示を取得するものを除いた構成ユニットのみについての前記操作ボタン表示を配置した操作画面を表示することを特徴とする請求項１０に記載の顕微鏡装置。
【請求項１２】
請求項１から１１のうちのいずれか一項に記載の顕微鏡装置に備えられるコントローラであって、
前記コントローラ側送受信手段と、前記表示手段と、前記指示取得手段と、前記コントローラ側制御手段と、を備えていることを特徴とするコントローラ。
【請求項１３】
請求項１２に記載のコントローラとしてコンピュータを機能させるためのプログラムであって、
前記表示手段は、前記顕微鏡情報と前記操作ボタン表示の形態及び配置位置との対応関係が示されている関係情報を参照し、前記コントローラ側送受信手段が受信した顕微鏡情報に対応付けられている形態の操作ボタン表示を、該対応付けられている配置位置に配置した操作画面を表示するものであり、
前記指示取得手段は、前記操作画面上の位置の指示を取得し、取得した位置の指示を、該位置に配置されている操作ボタン表示への対応付けが前記関係情報においてされている顕微鏡情報に係る構成ユニットの動作に対する指示とするものであり、
前記プログラムは、前記コントローラ側送受信手段、前記表示手段、前記指示取得手段、及び、前記コントローラ側制御手段としてコンピュータを機能させるためのものである、
ことを特徴とするプログラム。
【発明の詳細な説明】
【技術分野】
【０００１】
本発明は、顕微鏡の技術に関し、特に、顕微鏡の操作性を向上させる技術に関する。
【背景技術】
【０００２】
顕微鏡やこれを用いた光学検査装置は、医学・生物分野における細胞や生体組織などの観察や、工業分野においても半導体ウエハ、ＦＰＤ（フラットパネル・ディスプレイ）用ガラス基板、磁気ヘッド等の検査、金属組織や新素材の研究開発など、種々の目的で使用されるものであり、ユーザのニーズに応じるための種々の装置が存在する。
【０００３】
これらの顕微鏡によって標本を観察する際には、顕微鏡を構成する各種の構成ユニット（例えば、各種照明、開口絞り、視野絞り、レボルバ、自動焦準機構、レンズやフィルタ等の光学素子切り替え機構など）をそれぞれ観察条件に応じて操作する必要がある。
【０００４】
これらの構成ユニットを操作する手法として、例えば、顕微鏡本体に操作装置を接続し、この操作装置に対する操作に応じて各構成ユニットを駆動し、操作装置での表示によって各構成ユニットの駆動状態を把握するというものが一般的に知られている。すなわち、顕微鏡毎に専用のコントローラやＰＣ（パーソナル・コンピュータ）などの操作装置を、通信ケーブルを介して顕微鏡本体と接続し、操作装置への操作に応じて顕微鏡本体との間で行われるコマンドの送受によって各構成ユニットの駆動制御が各種設定を行うというものである。
【０００５】
このような操作装置には、通常、顕微鏡の操作者が所望する構成ユニットの情報を表示するための表示部を備えていることが一般的である。しかし、現在は、上述のように、様々な用途や目的に応じて種々の顕微鏡装置や光学検査装置が存在し、また、構成ユニットを組み合わせて構成するシステム顕微鏡において接続可能な構成ユニットも多様化し、更に、使用する光学素子の選択肢も数多く存在している。このため、実際に使用する装置の構成によっては、上述した操作装置に表示する構成ユニットや光学素子に関する情報が大量となり、観察者が観察するために必要な情報を把握するのが却って困難となる結果、その操作性や利便性が低下してしまう場合もある。
【０００６】
このような問題に関し、例えば特許文献１に開示されている技術がある。
この技術では、ケーブルを介して顕微鏡本体とコントローラとを接続しておき、顕微鏡本体に接続されている光学ユニット（各種複数の光学素子を備えたレボルバユニット、フィルタユニット、コンデンサユニット）の情報をコントローラが読み出すようにし、読み出した情報のうち顕微鏡の光路上に配置された光学素子についてのもののみを、必要な情報としてコントローラの表示部で表示する。ここで、光学ユニット中で光学素子の切り換えを行う際には、切り換えが行われる光学ユニットに設けられている光学素子の情報を全て列挙して表示する。
【０００７】
特許文献１の技術では、このようにして、光学素子の切換え操作時には切換え操作に関する全ての情報を表示する一方で、通常観察時には観察に必要な最低限の情報のみを表示するようにして、操作性の向上を図っている。
【特許文献１】特開２００２−１８２１１４号公報
【発明の開示】
【発明が解決しようとする課題】
【０００８】
しかしながら、上述した技術では、以下のような問題が生じ得る。
通常、コントローラには顕微鏡に応じて専用に設計されたものが用いられており、種類の異なる顕微鏡や光学検査装置に対して同一のコントローラを共用すると、不都合が生じる場合がある。
【０００９】
例えば、同一のコントローラを種類の異なる顕微鏡や光学検査装置に接続すると、接続した顕微鏡には装備されていない構成ユニットのための操作部や機能表示等がコントローラの操作部に含まれている場合がある。より具体的には、例えば、生物顕微鏡用のコントローラを工業顕微鏡に接続すると、接続した工業顕微鏡には存在しない、例えば蛍光観察ユニット等のための操作部や機能表示が残ってしまうこととなる。このとき、顕微鏡の操作者は、現在使用している顕微鏡本体が装備している構成ユニットや光学素子を誤認識することが考えられ、また、何ら機能を生じさせることのない操作部を誤って操作してしまうことも考えられる。
【００１０】
また、顕微鏡に応じて専用に設計されたコントローラでは、操作部に設けられている各種の操作子と操作に応じて駆動する各種光学部材との対応関係は固定されている。このため、例えば、顕徴鏡本体に対し構成ユニットを新たに追加した場合には、コントローラに対する操作によって、追加した構成ユニットを駆動させることができない。また、必要としなくなった構成ユニットを取り外した場合には、取り外した構成ユニットを駆動させるための操作部がコントローラ上に機能しない状態で残ったままとなるため、同様に誤認識や誤操作の原因となる。
【００１１】
本発明は上述した問題に鑑みてなされたものであり、その解決しようとする課題は、種々の顕微鏡やこれを用いた光学検査装置で共用可能であり、操作性の良好な操作装置を提供することである。
【課題を解決するための手段】
【００１２】
本発明の態様のひとつである顕微鏡装置は、観察対象の標本の像を得る顕微鏡装置であって、前記顕微鏡装置を構成する各構成ユニットに関する情報である顕微鏡情報を取得する顕微鏡情報取得手段と、前記顕微鏡情報の受信と、前記構成ユニットの動作を制御する制御情報の送信とを行うコントローラと、前記コントローラへ前記顕微鏡情報を送信し該コントローラから前記制御情報を受信する本体側送受信手段と、前記本体側送受信手段が受信した制御情報に基づいて前記構成ユニットの動作を制御する本体側制御手段と、を備えており、前記コントローラは、前記本体側送受信手段から送信された前記顕微鏡情報を受信し前記制御情報を該本体側送受信手段へ送信するコントローラ側送受信手段と、前記構成ユニットの動作に対する指示の取得に利用される操作ボタン表示を、前記コントローラ側送受信手段が受信した顕微鏡情報に基づいて配置した操作画面を表示する表示手段と、前記操作ボタン表示を利用して前記指示を取得する指示取得手段と、前記コントローラ側送受信手段を制御して、前記指示取得手段が取得した指示に対応している前記制御情報を送信させるコントローラ側制御手段と、を備えていることを特徴とするものであり、この特徴によって前述した課題を解決する。
【００１３】
なお、上述した本発明に係る顕微鏡装置において、前記顕微鏡情報は、前記構成ユニットを識別する構成ユニット識別情報を含んでいるように構成してもよい。
なお、このとき、前記コントローラは、前記操作ボタン表示の形態を表している情報が前記構成ユニット毎に記憶されている記憶部を更に備えており、前記表示手段は、前記記憶部に記憶されている情報により表されている操作ボタン表示の形態から、前記コントローラ側送受信手段が受信した顕微鏡情報に含まれている構成ユニット識別情報により識別される構成ユニットについての操作ボタン表示の形態が選択されて配置された操作画面を表示する、ように構成してもよい。
【００１４】
また、前述した本発明に係る顕微鏡装置において、前記顕微鏡情報は、前記構成ユニットの動作に対する指示の取得に利用される操作ボタン表示の形態を表している情報を少なくとも含んでおり、前記顕微鏡情報取得手段は、前記顕微鏡装置を構成している構成ユニットに関する顕微鏡情報を、前記構成ユニット毎の顕微鏡情報が記憶されている記憶部から取得し、前記表示手段は、前記コントローラ側送受信手段が受信した顕微鏡情報に含まれている情報により表されている形態の操作ボタン表示を配置した操作画面を表示する、ように構成してもよい。
【００１５】
また、前述した本発明に係る顕微鏡装置において、前記表示手段は、前記構成ユニットのうち前記顕微鏡が備えているもののみについての操作ボタン表示を、前記コントローラ側送受信手段が受信した顕微鏡情報に基づいて配置した操作画面を表示するように構成してもよい。
【００１６】
また、前述した本発明に係る顕微鏡装置において、前記顕微鏡情報は、前記顕微鏡装置の機種を識別する機種識別情報を含んでいるように構成してもよい。
なお、このとき、前記コントローラは、前記機種識別情報と当該機種識別情報によって識別される機種の顕微鏡装置を構成している構成ユニットとの対応関係を示す情報が記憶されている記憶部を更に備えており、前記操作画面には、前記コントローラ側送受信手段が受信した顕微鏡情報に含まれていた機種識別情報との対応関係が前記記憶部に記憶されている情報で示されている構成ユニットのみについての操作ボタン表示が配置される、ように構成してもよい。
【００１７】
また、前述した本発明に係る顕微鏡装置において、前記顕微鏡装置に対して着脱自在であって、前記コントローラが備えている前記指示取得手段とは独立して前記構成ユニットの動作に対する指示を取得する副指示取得手段と、前記副指示取得手段の有無を検出する検出手段と、を更に備えており、前記本体側送受信手段は、前記検出手段による検出結果を示している検出情報を更に前記コントローラへ送信し、前記コントローラ側送受信手段は、前記本体側送受信手段から送信された検出情報を更に受信し、前記表示手段は、前記コントローラ側送受信手段が受信した検出情報に応じて前記操作画面を変更して表示する、ように構成してもよい。
【００１８】
なお、このとき、前記表示手段は、前記コントローラ側送受信手段が受信した検出情報が前記副指示取得手段の検出を示していた場合には、前記顕微鏡装置が備えている構成ユニットのうち、該副指示取得手段が動作に対する指示を取得するものを除いた構成ユニットのみについての前記操作ボタン表示を配置した操作画面を表示するように構成してもよい。
【００１９】
また、前述した本発明に係る顕微鏡装置において、前記コントローラに対して着脱自在であって、該コントローラが備えている前記指示取得手段とは独立して前記構成ユニットの動作に対する指示を取得する副指示取得手段を更に備えており、前記コントローラは、前記副指示取得手段の有無を検出する検出手段を更に備えており、前記表示手段は、前記検出手段による検出結果に応じて前記操作画面を変更して表示する、ように構成してもよい。
【００２０】
なお、このとき、前記表示手段は、前記検出手段が前記副指示取得手段の存在を検出した場合には、前記顕微鏡装置が備えている構成ユニットのうち、該副指示取得手段が動作に対する指示を取得するものを除いた構成ユニットのみについての前記操作ボタン表示を配置した操作画面を表示するように構成してもよい。
【００２１】
また、前述した本発明に係る顕微鏡装置に備えられるコントローラであって、前記コントローラ側送受信手段と、前記表示手段と、前記指示取得手段と、前記コントローラ側制御手段と、を備えているコントローラも本発明に係るものである。
【００２２】
また、上述した本発明に係るコントローラとしてコンピュータを機能させるためのプログラムであって、前記表示手段は、前記顕微鏡情報と前記操作ボタン表示の形態及び配置位置との対応関係が示されている関係情報を参照し、前記コントローラ側送受信手段が受信した顕微鏡情報に対応付けられている形態の操作ボタン表示を、該対応付けられている配置位置に配置した操作画面を表示するものであり、前記指示取得手段は、前記操作画面上の位置の指示を取得し、取得した位置の指示を、該位置に配置されている操作ボタン表示への対応付けが前記関係情報においてされている顕微鏡情報に係る構成ユニットの動作に対する指示とするものであり、前記プログラムは、前記コントローラ側送受信手段、前記表示手段、前記指示取得手段、及び、前記コントローラ側制御手段としてコンピュータを機能させるためのものであるプログラムについても、本発明に係るものである。
【発明の効果】
【００２３】
本発明によれば、以上のようにすることにより、種々の顕微鏡やこれを用いた光学検査装置で共用可能であり、操作性の良好な操作装置が提供できるという効果を奏する。
【発明を実施するための最良の形態】
【００２４】
以下、本発明の実施の形態を図面に基づいて説明する。
なお、この実施の形態により本発明が限定されるものではない。
また、図面の記載において、同一の構成要素には同一の符号を付して説明する。
【実施例１】
【００２５】
図１について説明する。同図は、本発明を実施する顕微鏡装置の構成を示している。
図１に示す顕微鏡装置は、標本１が載置されるステージ２と、標本１の上部に配置される対物レンズ３と、電動レボルバ４を介して対物レンズ３を保持すると共に焦準ユニット５を介してステージ２を支持する顕微鏡本体６と、顕微鏡本体６の上部に配置されている鏡筒７と、鏡筒７の前面部に取り付けられている接眼レンズ８と、顕微鏡本体６に設けられている制御部１０と、制御部１０と電気的に接続されている電源部１１及び調光部１２と、顕微鏡の操作者によって操作される操作子が設けられているコントローラ１３と、を備えて構成されている。
【００２６】
ステージ２は、Ｘ軸ハンドル２ａ及びＹ軸ハンドル２ｂを回転操作することにより、対物レンズ３の光軸に直交した面で自在に移動させることが可能であり、これによって対物レンズ３に対する標本１の観察位置を移動させることができる。
【００２７】
対物レンズ３は、倍率の異なるものが着脱自在に電動レボルバ４に取り付けられており、電動レボルバ４の回転駆動に応じ、そのうちの１つが選択されて標本１の上方に配置される。
【００２８】
電動レボルバ４は、本実施形態においては最大６つの対物レンズ３の取り付けが可能であり、不図示の対物レンズ取り付け穴には番号＃１〜＃６が割り当てられている。また、電動レボルバ４は、対物レンズ３を取り付ける不図示のマウンタと、マウンタを電動で駆動して対物レンズ３を光軸に挿入させるレボルバモータＭ１と、レボルバセンサ群Ｓ１とより構成されているユニットである。レボルバセンサ群Ｓ１は、電動レボルバ４の顕微鏡本体６への接続有無を検出する不図示のレボルバ接続センサと、電動レボルバ４の回転駆動により選択されて現在光軸に挿入されている対物レンズ３が取り付けられている穴番号を検知する不図示の穴番号センサと、対物レンズ３が光軸に挿入されたことを検知する不図示の移動完了センサとで構成されている。
【００２９】
焦準ユニット５は、回転操作を制御部１０に伝える焦準ハンドル５ａと、制御部１０から受け取る制御信号に応じて電動で駆動する焦準ユニットモータＭ２と、焦準ユニットセンサ群Ｓ２とで構成されているユニットである。焦準ユニットセンサ群Ｓ２は、焦準ユニット５の顕微鏡本体６への接続有無を検出する不図示の焦準ユニット接続センサと、ステージ２の光軸方向の現在位置を検出する不図示の位置検出センサとで構成されている。焦準ユニット５は、焦準ハンドル５ａの回転操作に基づいて制御部１０から送られてくる制御信号に応じてステージ２を光軸方向（Ｚ方向）に昇降移動させて標本１と対物レンズ３との相対距離を変化させることにより、対物レンズ３の焦点に標本１を位置させることができる。
【００３０】
標本１は、照明光学系１４を用いて照明される。標本１の顕微鏡観察は、標本１からの反射光が観察光学系１５を通って接眼レンズ８に光が伝わることで可能となる。照明光学系１４は、光源１０１、コレクタレンズ１０２、リレーレンズ１０３、開口絞りユニット１０４、視野絞りユニット１０５、リレーレンズ１０８、及びハーフミラーユニット１０６より構成されており、顕微鏡本体６内に配置されている。
【００３１】
光源１０１は、電源部１１からの印加電圧に応じて照明光を発する構成ユニットである。光源１０１としては、例えばハロゲンランプ等のランプ光源が用いられる。光源１０１の調光は可能であり、電源部１１が、調光部１２への操作に応じて調整される基準電圧に基づいて光源１０１への印加電圧を調整することによって行われる。なお、構成ユニットのひとつである電源１１には、光源１０１と電源部１１との電気的な接続の有無を検出する光ランプ接続センサＳ６が設けられている。
【００３２】
開口絞りユニット１０４は、複数の絞り羽根が同心円状に連続変化して絞りを開閉する構造を有している羽根絞り１０４ａと、制御部１０からの制御信号を受けて羽根絞り１０４ａを電動で駆動させる開口絞り駆動モータＭ３と、開口絞りセンサ群Ｓ３とで構成されているユニットである。開口絞りセンサ群Ｓ３は、開口絞りユニット１０４の顕微鏡本体６への電気的な接続の有無を検出する不図示の開口絞り接続センサと、羽根絞り１０４ａの孔径を検出する不図示の開口絞り孔径センサとより構成されている。なお、羽根絞り１０４ａの孔径は、顕微鏡の操作者がコントローラ１３を操作することで設定することができる。
【００３３】
視野絞りユニット１０５は、複数の絞り羽根が同心円状に違続変化して絞りを開閉する構造になっている羽根絞り１０５ａと、制御部１０からの制御信号を受けて羽根絞り１０５ａを電動で駆動させる視野絞り駆動モータＭ４と、視野絞りセンサ群Ｓ４とで構成されているユニットである。視野絞りセンサ群Ｓ４は、視野絞りユニット１０５の顕微鏡本体６への電気的な接続の有無を検出する不図示の視野絞り接続センサと、羽根絞り１０５ａの孔径を検出する不図示の視野絞り孔径センサとより構成されている。なお、羽根絞り１０５ａの孔径は、顕微鏡の操作者がコントローラ１３を操作することで設定することができる。
【００３４】
観察光学系１５は、対物レンズ３、ハーフミラーユニット１０６、及び結像レンズ１０７より構成されている。ここで、ハーフミラーユニット１０６は、照明光学系１４と観察光学系１５とで共用されており、ハーフミラーユニット１０６によって光路が分岐されている。観察光学系１５では、標本１に照射された照明光が観察光として反射した後、対物レンズ３及びハーフミラーユニット１０６を通過して、鏡筒７内に設けられた結像レンズ１０７に集光されて、標本１の観察像を結像する。この観察像は、鏡筒７内に設けられた結像レンズ１０７を介して所定の結像面上に結像され、接眼レンズ８を介して目視で観察される。
【００３５】
ハーフミラーユニット１０６は、明視野用ハーフミラー１０６ａと、暗視野用ハーフミラー１０６ｂと、制御部１０からの制御信号を受けて電動によりハーフミラー１０６ａと１０６ｂとの一方を光軸上に挿入させるハーフミラー駆動モータＭ５と、ハーフミラーセンサ群Ｓ５から構成されているユニットである。ここで、明視野用ハーフミラー１０６ａは、対物レンズ３の瞳位置に光源１０１の像を結像させてケーラー照明を行うものであり、暗視野用ハーフミラー１０６ｂは、光源１０１からの照明光束のうち外周付近のみを反射して、電動レボルバ４及び対物レンズ３における環状の暗視野照明光路へ導くものである。ハーフミラーセンサ群Ｓ５は、ハーフミラーユニット１０６の顕微鏡本体６への接続有無を検出する不図示のハーフミラーユニット接続センサと、ハーフミラー１０６ａ若しくは１０６ｂの光軸上への挿入完了を検出する不図示の移動完了センサとより構成されている。なお、ハーフミラー１０６ａと１０６ｂとの光軸に対する挿脱は、顕微鏡の操作者がコントローラ１３を操作することで設定することができる。
【００３６】
ここで図２について説明する。同図は、制御部１０の内部構成の第一の例を示している。
本実施例における制御部１０は、ＣＰＵ２０１、ＲＡＭ２０２、ＲＯＭ２０３、不揮発性メモリ２０４、各種Ｉ／Ｏ２０５ａ〜２０５ｅ、ランプ基準電圧調整回路２１１、及び通信ドライバ２１２を備えて構成されており、これらの構成要素間では、ＣＰＵ２０１の管理の下でバス２１３を介して各種のデータを相互に授受することができる。なお、制御部１０は、これらの構成要素に加え、図１の顕微鏡装置に接続される各構成ユニットの駆動制御を行う駆動制御回路２０６〜２１０を更に備えて構成されている。
【００３７】
ＣＰＵ（中央演算装置）２０１は、図１の顕微鏡装置全体の動作制御を行う。
ＲＡＭ２０２は、ＣＰＵ２０１が制御プログラムを実行する際に作業用記憶領域として利用すると共に各種のデータを一時的に記憶しておくメモリである。
【００３８】
ＲＯＭ２０３には、顕微鏡装置の動作制御を行うためにＣＰＵ２０１が実行する制御プログラムが予め格納されている。
不揮発性メモリ２０４には、図１の顕微鏡装置に関する顕微鏡情報が予め格納されている。
【００３９】
顕微鏡情報には、顕微鏡装置の機種を識別する機種識別情報、顕微鏡本体６に接続している各種の構成ユニットを識別する構成ユニット識別情報、各構成ユニット内の光学部材の状態を示す情報などがあり、これらの情報はいずれも、各構成ユニットに設けられているセンサ群Ｓ１〜Ｓ６から制御部１０へ送られてくる。なお、不揮発性メモリ２０４には、これらの顕微鏡情報のうち、顕微鏡装置の機種識別情報と、顕微鏡本体６に接続している各種の構成ユニットを識別する情報とが格納されている。
【００４０】
開口絞り制御駆動回路２０６は、開口絞りユニット１０４に設けられている開口絞り駆動モータＭ３及び開口絞りセンサ群Ｓ３の駆動制御を行うものであり、Ｉ／Ｏ２０５ａを介して各種のデータを制御部１０の他の構成要素との間で授受することができる。開口絞り制御駆動回路２０６は、ステッピングモータである開口絞り駆動モータＭ３を駆動して羽根絞り１０４ａの絞り径を連続変化させると共に開口絞りセンサ群Ｓ３で検出される羽根絞り１０４ａの絞り径の情報を受け取ることが可能であり、羽根絞り１０４ａの絞り径を所定値に調整する。
【００４１】
視野絞り制御駆動回路２０７は、視野絞りユニット１０５に設けられている視野絞り駆動モータＭ４及び視野絞りセンサ群Ｓ４の駆動制御を行うものであり、Ｉ／Ｏ２０５ｂを介して各種のデータを制御部１０の他の構成要素との間で授受することができる。視野絞り制御駆動回路２０７は、ステッピングモータである視野絞り駆動モータＭ４を駆動して羽根絞り１０５ａの絞り径を連続変化させると共に視野絞りセンサ群Ｓ４で検出される羽根絞り１０５ａの絞り径の情報を受け取ることが可能であり、羽根絞り１０５ａの絞り径を所定値に調整する。
【００４２】
ハーフミラー制御駆動回路２０８は、ハーフミラーユニット１０６に設けられているハーフミラー駆動モータＭ５及びハーフミラーセンサ群Ｓ５の駆動制御を行うものであり、Ｉ／Ｏ２０５ｃを介して各種のデータを制御部１０の他の構成要素との間で授受することができる。ハーフミラー制御駆動回路２０８は、ハーフミラー駆動モータＭ５を駆動して明視野用ハーフミラー１０６ａと暗視野用ハーフミラー１０６ｂとを照明光路上に挿脱すると共にハーフミラーセンサ群Ｓ５で検出される明視野用ハーフミラー１０６ａ及び暗視野用ハーフミラー１０６ｂの挿脱状態の情報を受け取ることが可能であり、明視野照明時には明視野用ハーフミラー１０６ａを照明光路上に挿入し、暗視野照明時には暗視野用ハーフミラー１０６ｂを照明光路上に挿入する。
【００４３】
電動レボルバ制御駆動回路２０９は、電動レボルバ４に設けられているレボルバモータＭ１及びレボルバセンサ群Ｓ１の駆動制御を行うものであり、Ｉ／Ｏ２０５ｄを介して各種のデータを制御部１０の他の構成要素との間で授受することができる。電動レボルバ制御駆動回路２０９は、レボルバモータＭ１を駆動して電動レボルバ４を左方向若しくは右方向に回転させると共にレボルバセンサ群Ｓ１で検出される光軸に挿入されている対物レンズ３の情報を受け取ることが可能であり、所望の対物レンズ３を照明光路上に挿入する。
【００４４】
焦準ユニット制御駆動回路２１０は、焦準ユニット５に設けられている焦準ユニットモータＭ２及び焦準ユニットセンサ群Ｓ２の駆動制御を行うものであり、Ｉ／Ｏ２０５ｅを介して各種のデータを制御部１０の他の構成要素との間で授受することができる。焦準ユニット制御駆動回路２１０は、ステッピングモータである焦準ユニットモータＭ２を駆動してステージ２をＺ方向に移動させると共に焦準ユニットセンサ群Ｓ２で検出されるステージ２のＺ方向の位置を受け取ることが可能であり、ステージ２をＺ方向の所望の位置まで移動させる。
【００４５】
ランプ基準電圧調整回路２１１は、電源部１１に設けられている光ランプ接続センサＳ６の駆動制御を行うと共に、調光部１２において操作内容に応じて設定される基準電圧に基づいて光源１０１への印加電圧を調整する。ランプ基準電圧調整回路２１１は、グランド電位（０ボルト）と電源電圧間の任意の基準電圧が調光部１２から入力されると、入力された基準電圧に基づく演算によって得られるランプセット電圧を電源部１１に出力する。電源部１１は、このランプセット電圧の増幅結果である印加電圧を、光源１０１であるハロゲンランプに印加する。
【００４６】
通信ドライバ２１２は、コントローラ１３との間で行われるデータ通信（例えばシリアル通信）の管理を行い、コントローラ１３への顕微鏡情報などの送信やコントローラ１３から送られてくる制御情報などの受信を行う。
【００４７】
次にコントローラ１３について説明する。
コントローラ１３は、ケーブルを介して顕微鏡本体６に接続される。また、不図示のアプリケーションソフトウェアが予めインストールされており、このアプリケーションソフトを使用することで、操作者による操作に応じた顕微鏡装置への制御指示ができるようになる。
【００４８】
アプリケーションソフトウェアを用いて顕微鏡装置の操作を行うには、まず初めにアプリケーションソフトウェア上から制御部１０へＲＥＭＯＴＥコマンドを送信して、顕微鏡本体６をリモート操作状態へと切り換える。顕微鏡本体６は、リモート状態の下では、顕微鏡本体６に備えられている不図示の入力手段に対する入力は無視される。
【００４９】
一方、リモート状態から上述の入力手段で顕微鏡装置の操作が可能な状態（ローカル状態）へと切り換えるには、アプリケーションソフトウェア上から制御部１０へＬＯＣＡＬコマンドを改めて送信すればよい。このようにして顕微鏡本体６がローカル状態になったときには、ＲＥＭＯＴＥコマンドの送信を除き、アプリケーションソフトウェアによる顕微鏡装置の操作は無視される。
【００５０】
ここで図３について説明する。同図は、図１に示したコントローラ１３の内部構成を示している。
図３に示すように、コントローラ１３は、ＣＰＵ３０１、ＲＡＭ３０２、ＲＯＭ３０３、不揮発性メモリ３０４、通信ドライバ３０５、及びタッチパネルコントローラＩＣ３０６に接続されている表示器３０７を備えて構成されており、これらの構成要素間では、ＣＰＵ３０１の管理の下でバス３０８を介して各種のデータを相互に授受することができる。
【００５１】
ＣＰＵ（中央演算装置）３０１は、コントローラ１３全体の動作制御を行う。
ＲＡＭ２０２は、ＣＰＵ３０１が制御プログラムを実行する際に作業用記憶領域として利用すると共に各種のデータを一時的に記憶しておくメモリである。
【００５２】
ＲＯＭ３０３には、コントローラ１３の動作制御を行うためにＣＰＵ３０１が実行する制御プログラムが予め格納されている。なお、顕微鏡装置を制御するための前述したアプリケーションソフトウェアもこの制御プログラムの一部である。
【００５３】
不揮発性メモリ３０４には、表示器３０７に表示される操作画面に含まれる操作ボタン表示（アイコンボタン表示等の、各構成ユニットに対する指示の取得に利用される表示）の画面上の位置及び形状についての情報が予め格納されている。
【００５４】
通信ドライバ３０５は、顕微鏡本体６の制御部１０との間で行われるデータ通信（例えばシリアル通信）の管理を行い、制御部１０から送信された顕微鏡情報などの受信や、顕微鏡本体６に備えられている各構成ユニットの動作を制御する制御情報などの制御部１０への送信を行う。通信ドライバ３０５より出力した信号は、タッチパネルコントローラＩＣ３０６に制御信号が入力される。
【００５５】
タッチパネルコントローラＩＣ３０６は、顕微鏡本体６の制御部１０から通信ドライバ３０５を介して送られている顕微鏡情報を受け取ると、不揮発性メモリ３０４に格納されている操作部のデータに基づいて、顕微鏡本体６に接続されている各構成ユニットの操作部を表示器３０７に表示させる。
【００５６】
表示器３０７はタッチパネルディスプレイを用いて構成されており、表示装置としての機能と入力操作用の操作子としての機能とを兼ね備えている。ＣＰＵ３０１は、顕微鏡本体６の制御部１０から送られてくる顕微鏡情報に基づいて、不揮発性メモリ３０４に格納されている操作部のデータを読み出し、顕微鏡本体６に接続されている構成ユニットの操作部がそのデータで示されている位置及び形状に従って含まれている操作画面を表示器３０７に表示させる。
【００５７】
コントローラ１３の表示器３０７に表示する本実施例に係る操作画面の例を図４Ａ及び図４Ｂに示す。これらの操作画面のどちらにも、各構成ユニットの操作部として、開口絞りユニット１０４、視野絞りユニット１０５、ハーフミラーユニット１０６、電動レボルバ４、焦準ユニット５、及び光源１０１の操作部に相当するボタン表示が含まれている。
【００５８】
ＡＳ（Aperture Stop ）開ボタン４０１とＡＳ閉ボタン４０２とは、開口絞りユニット１０４についてのボタン表示である。これらのボタン表示に対するパネルタッチの操作が継続している間、開口絞りユニット１０４の羽根絞り１０４ａを開閉させる開口絞り駆動モータＭ３が駆動され、このパネルタッチ操作を止めるとその駆動が中止される。
【００５９】
ＦＳ（Field Stop ）開ボタン４０３とＦＳ閉ボタン４０４とは、視野絞りユニット１０５についてのボタン表示である。これらのボタン表示に対するパネルタッチの操作が継続している間、視野絞りユニット１０５の羽根絞り１０５ａを開閉させる視野絞り駆動モータＭ４が駆動され、このパネルタッチ操作を止めるとその駆動が中止される。
【００６０】
明視野（ＢＦ：Bright Field）用ハーフミラー切り替えボタン４０５と暗視野（ＤＦ：Dark Field）用ハーフミラー切り替えボタン４０６とは、ハーフミラーユニット１０６についてのボタン表示である。これらのボタン表示のどちらかに対するパネルタッチの操作がなされると、ハーフミラーユニット１０６に設けられているハーフミラー駆動モータＭ５が駆動され、明視野用ハーフミラー１０６ａ及び暗視野用ハーフミラー１０６ｂのうちパネルタッチ操作されたボタン表示に対応するものが光路上に挿入される。
【００６１】
操作画面内で円環状に６つ配置されているレボルバ穴切り替えボタン群４０７は、電動レボルバ４のためのボタン表示である。これらのボタン表示のいずれかに対するパネルタッチの操作がなされると、電動レボルバ４に設けられているレボルバモータＭ１が駆動され、電動レボルバ４に取り付けられている対物レンズ３のうち、パネルタッチ操作されたボタン表示に付されている番号に対応する穴番号に取り付けられているものが光路上に挿入される。
【００６２】
Ｚｕｐボタン４０８とＺｄｏｗｎボタン４０９とは、焦準ユニット５のためのボタン表示である。これらのボタン表示のいずれかに対するパネルタッチの操作が継続している間、焦準ユニット５に設けられている焦準ユニットモータＭ２が駆動されてステージ２がＺ方向に移動し、このパネルタッチ操作を止めるとその駆動が中止されてステージ２が停止する。
【００６３】
ＬｉｇｈｔＵＰボタン４１０とＬｉｇｈｔＤＯＷＮボタン４１１とは、光源１０１のためのボタン表示である。これらのボタン表示のいずれかに対するパネルタッチの操作が継続している間、電源部１１から光源１０１に印加される電圧が変化して光源１０１の明るさが変化し、このパネルタッチ操作を止めるとその変化が停止して光源１０１の明るさが安定する。
【００６４】
この他、図４Ａに示す本実施例に係る操作画面の第一の例には、状態表示部４１２が含まれている。状態表示部４１２には、各構成ユニットに設けられているセンサ群Ｓ１〜Ｓ６により検出される、各構成ユニット内の光学部材の状態を示す情報がテキスト表示される。この状態表示部４１２について説明する。
【００６５】
「観察法」の欄にはハーフミラーユニット１０６の状態が示される。すなわち、この欄に「ＢＦ」の表示がされている場合は明視野用ハーフミラー１０６ａが光路上に挿入されていることを示しており、この欄に「ＤＦ」の表示がされている場合は暗視野用ハーフミラー１０６ｂが光路上に挿入されていることを表している。
【００６６】
「レボ穴」の欄には電動レボルバ４の状態が示される。この欄に示される番号（１から６のいずれか）は、電動レボルバの穴番号に対応しており、この穴番号の取り付け穴に取り付けられている対物レンズ３が光路上に挿入されていることを表している。
【００６７】
「ＦＳ」の欄には視野絞りユニット１０５の状態が示される。この欄に示される数値（数値範囲は例えば１〜３１１３）により、羽根絞り１０５ａの現在の絞り量を表している。
【００６８】
「ＡＳ」の欄には開口絞りユニット１０４の状態が示される。この欄に示される数値（数値範囲は、例えば１〜３１１３）により、羽根絞り１０４ａの現在の絞り量を表している。
【００６９】
「Ｌｉｇｈｔ」の欄には光源１０１の状態が示される。この欄に示される数値（数値範囲は例えば０〜１２）は、光源１０１に印加される電圧を表しており、これはすなわち光源１０１の明るさを表している。
【００７０】
「Ｚステージ」の欄には焦準ユニット５の状態が示される。この欄に示される数値（数値範囲は例えば１０００〜１０００００）により、ステージ２のＺ方向の位置を表している。
【００７１】
一方、図４Ｂに示す本実施例に係る操作画面の第二の例では、各構成ユニット内の光学部材の状態を示す情報の表示を、第一の例のようなテキスト表示で行うのではなく、インジケータ表示を用いて行っている。
【００７２】
視野絞りインジケータ４１３は、視野絞りユニット１０５の状態を示すものであり、羽根絞り１０５ａの現在の絞り量を、全開状態に対する相対表示として表している。
開口絞りインジケータ４１４は、開口絞りユニット１０４の状態を示すものであり、羽根絞り１０４ａの現在の絞り量を、全開状態に対する相対表示として表している。
【００７３】
光源インジケータ４１５は、光源１０１の状態を示すものであり、光源１０１の現在の明るさを、その最高の明るさに対する相対表示として表している。
Ｚステージインジケータ４１６は焦準ユニット５の状態を示すものであり、ステージ２のＺ方向の位置（最低位置からの高さ）をその最高位置に対する相対表示として表している。
【００７４】
なお、図４Ｂの第二の例においては、ハーフミラーユニット１０６の状態については、明視野用ハーフミラー切り替えボタン４０５と暗視野用ハーフミラー切り替えボタン４０６とのうちのどちらかの色彩を他のボタン表示とは異なるものに変化させることで、光路上に挿入されているものが明視野用ハーフミラー１０６ａと暗視野用ハーフミラー１０６ｂとのどちらであるかを示すようにしている。
【００７５】
また、図４Ｂの第二の例においては、電動レボルバ４の状態については、レボルバ穴切り替えボタン群４０７のうちのいずれかの色彩を他のボタン表示とは異なるものに変化させることで、光路上に挿入されている対物レンズ３が、電動レボルバ４のどの穴番号の取り付け穴に取り付けられていたものであるかを示すようにしている。また、この代わりに、穴番号表示４１７のように、光路上に挿入されている対物レンズ３が取り付けられている取り付け穴の穴番号の数字を、セグメント表示するようにしてもよい。
【００７６】
コントローラ１３は以上のように構成されており、顕微鏡本体６から送られてくる顕微鏡情報の受信と、顕微鏡本体６に備えられている構成ユニットの動作を制御する制御情報の送信とを行う。コントローラ１３から送信される制御情報を受信した制御部１０は、この制御情報に基づいて各構成ユニットの動作制御を行う。
【００７７】
なお、コントローラ１３を、ごく標準的な構成のコンピュータ、すなわち、制御プログラムの実行によってコンピュータシステム全体の動作制御を司るＭＰＵ（演算処理装置）と、このＭＰＵが必要に応じてワークメモリとして使用するメインメモリと、各種のプログラムや制御データなどを記憶して保存しておく例えばハードディスク装置などの記憶装置と、操作者からの指示を取得するマウス装置やキーボード装置等の入力装置と、各種の情報や画像を表示する表示装置と、顕微鏡本体６との間で行われる各種のデータの授受を管理するインタフェース部とを有しているコンピュータ、を利用して構成することもできる。なお、この場合には、表示器３０７に相当する表示装置としてタッチパネルディスプレイを使用してもよいが、この代わりに、例えば、表示装置を操作画面の表示に使用し、操作者が例えばマウス装置やジョグコントローラなどの入力手段を操作することによって、操作画面に対する操作を取得するようにしてもよい。
【００７８】
次に図５について説明する。同図は、本実施例に係る操作画面表示処理の処理内容をフローチャートで示したものである。この操作画面表示処理は、コントローラ１３の表示器３０７で、各構成ユニットのための操作部を表示させると共に各構成ユニットの状態を示す情報を表示させるための処理であり、制御部１０及びコントローラ１３により行われる。
【００７９】
この操作画面表示処理は、ＲＯＭ２０３及び３０３にそれぞれ格納されている制御プログラムをＣＰＵ２０１及び３０１が各々実行することによって実現される。
まず、Ｓ１０１では、コントローラ１３のアプリケーションソフトを起動して制御部１０へＲＥＭＯＴＥコマンドを送信する処理がコントローラ１３で行われる。制御部１０は、このコマンドを受信すると、開口絞りユニット１０４、視野絞りユニット１０５、ハーフミラーユニット１０６、電動レボルバ４、焦準機構ユニット５の各ユニットについての制御駆動回路２０６〜２１０及びランプ基準電圧調整回路２１１を制御して、各センサ群Ｓ１〜Ｓ６の出力を取得させる処理を行う。
【００８０】
Ｓ１０２では、開口絞りユニット１０４の開口絞りセンサ群Ｓ３の出力を制御部１０からコントローラ１３へと通信ドライバ２１２及び３０５を介して伝送し、このうちの開口絞り接続センサの出力に基づいて、開口絞りユニット１０４が接続されているか否かを判定する処理がコントローラ１３で行われる。ここで、開口絞りユニット１０４が接続されていると判定したとき（判定結果がＹｅｓのとき）にはＳ１０３に処理を進め、開口絞りユニット１０４が接続されていないと判定したとき（判定結果がＮｏのとき）にはＳ１０５に処理を進める。
【００８１】
Ｓ１０３では、開口絞りユニット１０４についての操作部であるＡＳ開ボタン４０１及びＡＳ閉ボタン４０２の位置及び形状のデータを不揮発性メモリ３０４から読み出し、このデータに基づいてＡＳ開ボタン４０１及びＡＳ閉ボタン４０２を表示器３０７の操作画面に表示させる処理がコントローラ１３で行われる。
【００８２】
Ｓ１０４では、開口絞りセンサ群Ｓ３のうちの開口絞り孔径センサの出力に基づいて、羽根絞り１０４ａの現在の絞り量の情報を表示器３０７の操作画面に表示させる処理がコントローラ１３で行われる。
【００８３】
Ｓ１０５では、視野絞りユニット１０５の視野絞りセンサ群Ｓ４の出力を制御部１０からコントローラ１３へと通信ドライバ２１２及び３０５を介して伝送し、このうちの視野絞り接続センサの出力に基づいて、視野絞りユニット１０５が接続されているか否かを判定する処理がコントローラ１３で行われる。ここで、視野絞りユニット１０５が接続されていると判定したとき（判定結果がＹｅｓのとき）にはＳ１０６に処理を進め、視野絞りユニット１０５が接続されていないと判定したとき（判定結果がＮｏのとき）にはＳ１０８に処理を進める。
【００８４】
Ｓ１０６では、視野絞りユニット１０５についての操作部であるＦＳ開ボタン４０３及びＦＳ閉ボタン４０４の位置及び形状のデータを不揮発性メモリ３０４から読み出し、このデータに基づいてＦＳ開ボタン４０３及びＦＳ閉ボタン４４を表示器３０７の操作画面に表示させる処理がコントローラ１３で行われる。
【００８５】
Ｓ１０７では、視野絞りセンサ群Ｓ４のうちの視野絞り孔径センサの出力に基づいて、羽根絞り１０５ａの現在の絞り量の情報を表示器３０７の操作画面に表示させる処理がコントローラ１３で行われる。
【００８６】
Ｓ１０８では、ハーフミラーユニット１０６のハーフミラーセンサ群Ｓ５の出力を制御部１０からコントローラ１３へと通信ドライバ２１２及び３０５を介して伝送し、このうちのハーフミラーユニット接続センサの出力に基づいて、ハーフミラーユニット１０６が接続されているか否かを判定する処理がコントローラ１３で行われる。ここで、ハーフミラーユニット１０６が接続されていると判定したとき（判定結果がＹｅｓのとき）にはＳ１０９に処理を進め、ハーフミラーユニット１０６が接続されていないと判定したとき（判定結果がＮｏのとき）にはＳ１１１に処理を進める。
【００８７】
Ｓ１０９では、ハーフミラーユニット１０６についての操作部である明視野用ハーフミラー切り替えボタン４０５と暗視野用ハーフミラー切り替えボタン４０６との位置及び形状のデータを不揮発性メモリ３０４から読み出し、このデータに基づいて明視野用ハーフミラー切り替えボタン４０５と暗視野用ハーフミラー切り替えボタン４０６とを表示器３０７の操作画面に表示させる処理がコントローラ１３で行われる。
【００８８】
Ｓ１１０では、ハーフミラーセンサ群Ｓ５のうちの移動完了センサの出力に基づいて、光路上に挿入されているものが明視野用ハーフミラー１０６ａと暗視野用ハーフミラー１０６ｂとのどちらであるかを示す情報を表示器３０７の操作画面に表示させる処理がコントローラ１３で行われる。
【００８９】
Ｓ１１１では、電動レボルバ４のレボルバセンサ群Ｓ１の出力を制御部１０からコントローラ１３へと通信ドライバ２１２及び３０５を介して伝送し、このうちのレボルバ接続センサの出力に基づいて、電動レボルバ４が接続されているか否かを判定する処理がコントローラ１３で行われる。ここで、電動レボルバ４が接続されていると判定したとき（判定結果がＹｅｓのとき）にはＳ１１２に処理を進め、電動レボルバ４が接続されていないと判定したとき（判定結果がＮｏのとき）にはＳ１１４に処理を進める。
【００９０】
Ｓ１１２では、電動レボルバ４についての操作部であるレボルバ穴切り替えボタン群４０７の位置及び形状のデータを不揮発性メモリ３０４から読み出し、このデータに基づいてレボルバ穴切り替えボタン群４０７を表示器３０７の操作画面に表示させる処理がコントローラ１３で行われる。
【００９１】
Ｓ１１３では、レボルバセンサ群Ｓ１のうちの穴番号センサの出力に基づいて、光路上に挿入されている対物レンズ３が取り付けられている対物レンズ取り付け穴に付されている穴番号を示す情報を表示器３０７の操作画面に表示させる処理がコントローラ１３で行われる。
【００９２】
Ｓ１１４では、電源１１の光ランプ接続センサＳ６の出力を制御部１０からコントローラ１３へと通信ドライバ２１２及び３０５を介して伝送し、この光ランプ接続センサＳ６の出力に基づいて、電源１１と光源１０１とが接続されているか否かを判定する処理がコントローラ１３で行われる。ここで、電源１１と光源１０１とが接続されていると判定したとき（判定結果がＹｅｓのとき）にはＳ１１５に処理を進め、電源１１と光源１０１とが接続されていないと判定したとき（判定結果がＮｏのとき）にはＳ１１７に処理を進める。
【００９３】
Ｓ１１５では、光源１０１についての操作部であるＬｉｇｈｔＵＰボタン４１０とＬｉｇｂｔＤＯＷＮボタン４１１との位置及び形状のデータを不揮発性メモリ３０４から読み出し、このデータに基づいてＬｉｇｈｔＵＰボタン４１０とＬｉｇｂｔＤＯＷＮボタン４１１とを表示器３０７の操作画面に表示させる処理がコントローラ１３で行われる。
【００９４】
Ｓ１１６では、ランプ基準電圧調整回路２１１が電源部１１に出力しているランプセット電圧によって決定される光源１０１への印加電圧についての情報を表示器３０７の操作画面に表示させる処理がコントローラ１３で行われる。
【００９５】
Ｓ１１７では、焦準ユニット５の焦準ユニットセンサ群Ｓ２の出力を制御部１０からコントローラ１３へと通信ドライバ２１２及び３０５を介して伝送し、このうちの焦準ユニット接続センサの出力に基づいて、焦準ユニット５が接続されているか否かを判定する処理がコントローラ１３で行われる。ここで、焦準ユニット５が接続されていると判定したとき（判定結果がＹｅｓのとき）にはＳ１１８に処理を進める。一方、焦準ユニット５が接続されていないと判定したとき（判定結果がＮｏのとき）には、この操作画面表示処理を終了する。
【００９６】
Ｓ１１８では、焦準ユニット５についての操作部であるＬｉｇｈｔＵＰボタン４１０とＬｉｇｂｔＤＯＷＮボタン４１１との位置及び形状のデータを不揮発性メモリ３０４から読み出し、このデータに基づいてＬｉｇｈｔＵＰボタン４１０とＬｉｇｂｔＤＯＷＮボタン４１１とを表示器３０７の操作画面に表示させる処理がコントローラ１３で行われる。
【００９７】
Ｓ１１９では、焦準ユニットセンサ群Ｓ２のうちの位置検出センサの出力に基づいて、ステージ２のＺ方向の現在位置を示す情報を表示器３０７の操作画面に表示させる処理がコントローラ１３で行われ、その後はこの操作画面表示処理を終了する。
【００９８】
以上までの処理が操作画面表示処理であり、この処理が行われることによって、図４Ａ若しくは図４Ｂに示した操作画面がコントローラ１３の表示器３０７に表示される。つまり、表示器３０７には、各構成ユニットの動作に対する指示の取得に利用される操作ボタン表示を、制御部１０から送られてきた顕微鏡情報に基づいて配置した操作画面が表示される。
【００９９】
操作者は、この操作画面を利用し、顕微鏡本体６に備えられている各構成ユニットの動作に対する指示を、表示器３０７へのパネルタッチ操作により行う。表示器３０７は、パネルタッチ操作がされた操作画面上の位置を取得し、不揮発性メモリ３０４に記憶されている対応情報で、取得した位置に配置されている操作ボタン表示へ対応付けられている顕微鏡情報が示している構成ユニットの動作に対する指示として、このパネルタッチ操作を扱い、この指示をＣＰＵ３０１に通知する。ＣＰＵ３０１は、通信ドライバ３０５を制御して、この指示に対応付けられている制御情報を制御部１０へ送信させる。
【０１００】
以上のように、本実施例によれば、コントローラ１３を顕微鏡本体６に接続すると顕微鏡本体６に設けられている各構成ユニットの接続状態の検出が行われ、そして、これらの構成ユニットの接続状態に応じて、コントローラ１３で表示される操作画面の初期設定が自動的に行われる。従って、コントローラ１３の操作画面に表示される情報が必要最小限のものとなるので、図１の顕微鏡装置の操作者による接続ユニットの誤認識が防止され、結果として観察効率が向上する。
【実施例２】
【０１０１】
本実施例は、接続される顕微鏡装置の機種に応じ、コントローラ１３に表示される操作画面が変化するというものである。
本実施例に係る顕微鏡装置の構成は図１に示したものと同様であり、この顕微鏡装置における制御部１０の内部構成も図２に示した第一の例と同様である。また、コントローラ１３の内部構成も図３に示したものと同様である。
【０１０２】
ここで図６Ａ及び図６Ｂについて説明する。これらは、コントローラ１３の表示器３０７に表示する本実施例に係る操作画面の例を示している。ここで、図６Ａに示す操作画面の第一の例は、機種名が「顕微鏡Ａ」なる顕微鏡装置にコントローラ１３が接続されたときに表示される画面であり、図６Ｂに示す操作画面の第二の例は、機種名が「顕微鏡Ｂ」なる顕微鏡装置にコントローラ１３が接続されたときに表示される画面である。このように、本実施例においては、接続される顕微鏡装置の機種を検出し、当該装置に装備されていない構成ユニットの操作部はコントローラ１３に表示せず、当該装置に装備されている構成ユニットのうち使用頻度が高いものについての操作部は、その形状が他の構成ユニットについてのものに比べて強調された状態で表示する。
【０１０３】
例えば、「顕微鏡Ａ」は、対物レンズ３の倍率を頻繋に切り換えて観察を行う用途に適したものである。そこで、「顕微鏡Ａ」用の操作画面である図６Ａの画面では、対物レンズ３の切換えを行う電動レボルバ４のためボタン表示であるレボルバ穴切り替えボタン群４０７が、操作画面上で広い領域を占めて円環状に配置されている。
【０１０４】
また、「顕微鏡Ｂ」には、視野絞りユニット１０５及び焦準ユニット５が装備されていない。そのため、「顕微鏡Ｂ」用の操作画面である図６Ｂの画面では、図６Ａの画面と対比すると、視野絞りユニット１０５のためのボタン表示であるＦＳ開ボタン４０３及びＦＳ閉ボタン４０４、並びに焦準ユニット５のためのボタン表示であるＺｕｐボタン４０８及びＺｄｏｗｎボタン４０９が含まれていない。また、「顕微鏡Ｂ」の仕様上、開口絞りユニット１０４に対する羽根絞り１０４ａの開閉のための操作は頻繁に使用することが考えられる。そこで、図６Ｂの操作画面では、開口絞りユニット１０４のためのボタン表示であるＡＳ開ボタン４０１及びＡＳ閉ボタン４０２が、図６Ａの操作画面よりも操作画面上で広い領域を占めて配置されており、またこれらのボタン表示の形状も、図６Ａの操作画面よりも大きなものとされている。
【０１０５】
なお、図６Ｂにおいては、電動レボルバ４のためのボタン表示として、レボルバ穴切り替えボタン群４０７の代わりに、レボルバ順回転ボタン４２１とレボルバ逆回転ボタン５２２が設けられている。これらのボタン表示のいずれかに対するパネルタッチの操作がなされる度に、電動レボルバ４に設けられているレボルバモータＭ１が駆動されて電動レボルバ４を順方向（穴番号を大きくする方向）若しくは逆方向（穴番号を小さくする方向）に１つずつ回転させ、光路上に挿入されている対物レンズ３の切り換えを行う。
【０１０６】
なお、図６Ａ及び図６Ｂの操作画面において、図４Ａ及び図４Ｂに示した実施例１における操作画面例と同様に、各構成ユニット内の光学部材の状態を示す情報をテキスト表示若しくはインジケータ表示するようにしてもよい。
【０１０７】
次に図７について説明する。同図は、本実施例に係る操作画面表示処理の処理内容をフローチャートで示したものである。この操作画面表示処理は、コントローラ１３の表示器３０７で、接続される顕微鏡装置の機種に応じた操作画面を表示させるための処理であり、制御部１０及びコントローラ１３により行われる。
【０１０８】
この操作画面表示処理は、ＲＯＭ２０３及び３０３にそれぞれ格納されている制御プログラムをＣＰＵ２０１及び３０１が各々実行することによって実現される。
まず、Ｓ２０１では、コントローラ１３のアプリケーションソフトを起動して制御部１０へＲＥＭＯＴＥコマンドを送信する処理がコントローラ１３で行われる。制御部１０は、このコマンドを受信すると、開口絞りユニット１０４、視野絞りユニット１０５、ハーフミラーユニット１０６、電動レボルバ４、焦準機構ユニット５の各ユニットについての制御駆動回路２０６〜２１０及びランプ基準電圧調整回路２１１を制御して、各センサ群Ｓ１〜Ｓ６の出力を取得させる処理を行う。
【０１０９】
Ｓ２０２では、制御部１０が顕微鏡装置の機種識別情報を不揮発性メモリ２０４から読み出して通信ドライバ２１２及び３０５を介して伝送し、この機種識別情報に基づいて、コントローラ１３の接続された顕微鏡装置が「顕微鏡Ａ」であるか否かを判定する処理がコントローラ１３で行われる。ここで、コントローラ１３が接続されたのが「顕微鏡Ａ」であると判定したとき（判定結果がＹｅｓのとき）にはＳ２０３に処理を進め、コントローラ１３が接続されたのが「顕微鏡Ａ」ではないと判定したとき（判定結果がＮｏのとき）にはＳ２０４に処理を進める。
【０１１０】
Ｓ２０３では、制御部１０が通信ドライバ２１２及び３０５を介して各センサ群Ｓ１〜Ｓ６の出力を伝送し、この出力を受け取ったコントローラ１３が、この出力に応じて「顕微鏡Ａ」用の操作画面のために格納されているデータを不揮発性メモリ３０４から読み出し、読み出したデータで示されている位置及び形状の各ボタン表示を操作画面に配置することで、図６Ａに示した操作画面を表示器３０７に表示させる処理を行う。その後はこの操作画面表示処理を終了する。
【０１１１】
Ｓ２０４では、制御部１０が顕微鏡装置の機種識別情報を不揮発性メモリ２０４から読み出して通信ドライバ２１２及び３０５を介して伝送し、この機種識別情報に基づいて、コントローラ１３の接続された顕微鏡装置が「顕微鏡Ｂ」であるか否かを判定する処理がコントローラ１３で行われる。ここで、コントローラ１３が接続されたのが「顕微鏡Ｂ」であると判定したとき（判定結果がＹｅｓのとき）にはＳ２０５に処理を進め、コントローラ１３が接続されたのが「顕微鏡Ｂ」ではないと判定したとき（判定結果がＮｏのとき）にはＳ２０６に処理を進める。
【０１１２】
Ｓ２０５では、制御部１０が通信ドライバ２１２及び３０５を介して各センサ群Ｓ１〜Ｓ６の出力を伝送し、この出力を受け取ったコントローラ１３が、この出力に応じて「顕微鏡Ｂ」用の操作画面のために格納されているデータを不揮発性メモリ３０４から読み出し、読み出したデータで示されている位置及び形状の各ボタン表示を操作画面に配置することで、図６Ｂに示した操作画面を表示器３０７に表示させる処理を行う。その後はこの操作画面表示処理を終了する。
【０１１３】
Ｓ２０６では、制御部１０が通信ドライバ２１２及び３０５を介して各センサ群Ｓ１〜Ｓ６の出力を伝送し、この出力を受け取ったコントローラ１３が、この出力に応じて汎用の操作画面（「顕微鏡Ａ」や「顕微鏡Ｂ」に特化したものではない、例えば図４Ａや図４Ｂに示した操作画面）のためのデータを不揮発性メモリ３０４から読み出し、読み出したデータで示されている位置及び形状の各ボタン表示を配置した操作画面を表示器３０７に表示させる処理を行う。なお、このＳ２０６の処理における具体的な処理内容は、図５に示した操作画面表示処理の第一の例におけるＳ１０２からＳ１１９にかけての処理となる。
【０１１４】
Ｓ２０６の処理を終えた後には、この操作画面表示処理を終了する。
以上までの処理が行われることによって、接続される顕微鏡の機種に応じて異なる操作画面がコントローラ１３の表示器３０７に表示される。
【０１１５】
以上のように、本実施例によれば、コントローラ１３を接続すると、コントローラ１３に表示される操作画面が、接続された顕微鏡装置の機種に応じて切換わるので、顕微鏡の操作者にとってコントローラ１３の操作性が向上する。
【実施例３】
【０１１６】
本実施例では、顕微鏡装置の各構成ユニットに対する指示を行うために操作されるハンドスイッチをコントローラ１３と並行して顕微鏡装置で使用する場合に、同一の構成ユニットについての操作部が両者で重複しないようにするというものである。
【０１１７】
ここで図８について説明する。同図はハンドスイッチの上面の構成を示している。
図８に示すハンドスイッチ５００において、ＡＳ開ボタン５０１とＡＳ閉ボタン５０２とは、開口絞りユニット１０４についてのボタンである。これらのボタンに対する押下操作が継続している間、開口絞りユニット１０４の羽根絞り１０４ａを開閉させる開口絞り駆動モータＭ３が駆動され、この押下操作を止めるとその駆動が中止される。
【０１１８】
また、レボルバ切り替えボタン５０３は、電動レボルバ４のためのボタンである。このボタンに対する押下操作がなされる度に、電動レボルバ４に設けられているレボルバモータＭ１が駆動されて電動レボルバ４を順方向（穴番号を大きくする方向）に１つずつ回転させ、光路上に挿入されている対物レンズ３の切り換えを行う。
【０１１９】
開口絞りインジケータ５０４は、開口絞りユニット１０４の状態を示すものであり、羽根絞り１０４ａの現在の絞り量を、全開状態に対する相対表示として表している。
穴番号表示５０５は、電動レボルバ４の状態を示すものであり、光路上に挿入されている対物レンズ３が取り付けられている取り付け穴の穴番号の数字をセグメント表示する。
【０１２０】
なお、本実施例において、開口絞りインジケータ５０４及び穴番号表示５０５は、ＬＥＤ（発光ダイオード）が並べられて構成されている。
本実施例におけるハンドスイッチ５００は、上述したような構成を有しており、コントローラ１３が備えている指示取得手段である表示器３０７とは独立して、構成ユニットの動作に対する指示を取得するものである。なお、このハンドスイッチ５００は、顕微鏡本体６に対して着脱自在である。
【０１２１】
なお、本実施例に係る顕微鏡装置の構成は図１に示したものと同様であり、コントローラ１３の内部構成も図３に示したものと同様である。また、本実施例において、ハンドスイッチ５００が顕微鏡装置に接続されていない場合にコントローラ１３の表示器３０７に表示される操作画面は、図４Ａや図４Ｂに示した実施例１におけるものと同様のものとする。
【０１２２】
ここで図９について説明する。同図は、制御部１０の内部構成の第二の例を示している。
図９に示した制御部１０の構成は、図２に示した第一の構成に対し、ハンドスイッチ５００と制御部１０の各構成要素との間での各種のデータの授受を管理するハンドスイッチＩ／Ｏ５１０が追加されたものである。ハンドスイッチＩ／Ｏ５１０は、ハンドスイッチ５００の接続有無の検出と、ＡＳ開ボタン５０１、ＡＳ閉ボタン５０２、及びレボルバ切り替えボタン５０３に対する押下操作の検出と、開口絞りインジケータ５０４及び穴番号表示５０５の点灯制御とを行う。
【０１２３】
次に図１０について説明する。同図は、本実施例に係る操作画面表示処理の処理内容をフローチャートで示したものである。この操作画面表示処理は、コントローラ１３の表示器３０７で、各構成ユニットのうち、操作部がハンドスイッチに備えられていないものについての操作部を表示させると共に、そのような構成ユニットの状態を示す情報を表示させるための処理であり、制御部１０及びコントローラ１３により行われる。
【０１２４】
この操作画面表示処理は、ＲＯＭ２０３及び３０３にそれぞれ格納されている制御プログラムをＣＰＵ２０１及び３０１が各々実行することによって実現される。
まず、Ｓ３０１では、コントローラ１３のアプリケーションソフトを起動して制御部１０へＲＥＭＯＴＥコマンドを送信する処理がコントローラ１３で行われる。制御部１０は、このコマンドを受信すると、開口絞りユニット１０４、視野絞りユニット１０５、ハーフミラーユニット１０６、電動レボルバ４、焦準機構ユニット５の各ユニットについての制御駆動回路２０６〜２１０及びランプ基準電圧調整回路２１１を制御して、各センサ群Ｓ１〜Ｓ６の出力を取得させる処理を行う。
【０１２５】
Ｓ３０２では、開口絞りユニット１０４の開口絞りセンサ群Ｓ３の出力を制御部１０からコントローラ１３へと通信ドライバ２１２及び３０５を介して伝送し、このうちの開口絞り接続センサの出力に基づいて、開口絞りユニット１０４が接続されているか否かを判定する処理がコントローラ１３で行われる。ここで、開口絞りユニット１０４が接続されていると判定したとき（判定結果がＹｅｓのとき）にはＳ３０３に処理を進める。一方、開口絞りユニット１０４が接続されていないと判定したとき（判定結果がＮｏのとき）には、開口絞りユニット１０４のためのボタン表示を表示器３０７に表示せずに、Ｓ３０６に処理を進める。
【０１２６】
Ｓ３０３では、ハンドスイッチＩ／Ｏ５１０によって検出されるハンドスイッチ（ＨＳ）５００の接続有無の検出結果を制御部１０からコントローラ１３へと通信ドライバ２１２及び３０５を介して伝送し、ハンドスイッチ５００が顕微鏡本体６に接続されているか否かを、この検出結果に基づいて判定する処理がコントローラ１３で行われる。ここで、ハンドスイッチ５００が接続されていると判定したとき（判定結果がＹｅｓのとき）には、開口絞りユニット１０４のためのボタン表示を表示器３０７に表示せずに、Ｓ３０６に処理を進める。一方、ハンドスイッチ５００が接続されていないと判定したとき（判定結果がＮｏのとき）にはＳ３０４に処理を進める。
【０１２７】
Ｓ３０４では、開口絞りユニット１０４についての操作部であるＡＳ開ボタン４０１及びＡＳ閉ボタン４０２の位置及び形状のデータを不揮発性メモリ３０４から読み出し、このデータに基づいてＡＳ開ボタン４０１及びＡＳ閉ボタン４０２を表示器３０７の操作画面に表示させる処理がコントローラ１３で行われる。
【０１２８】
Ｓ３０５では、開口絞りセンサ群Ｓ３のうちの開口絞り孔径センサの出力に基づいて、羽根絞り１０４ａの現在の絞り量の情報を表示器３０７の操作画面に表示させる処理がコントローラ１３で行われる。
【０１２９】
Ｓ３０６では、電動レボルバ４のレボルバセンサ群Ｓ１の出力を制御部１０からコントローラ１３へと通信ドライバ２１２及び３０５を介して伝送し、このうちのレボルバ接続センサの出力に基づいて、電動レボルバ４が接続されているか否かを判定する処理がコントローラ１３で行われる。ここで、電動レボルバ４が接続されていると判定したとき（判定結果がＹｅｓのとき）にはＳ３０７に処理を進める。一方、電動レボルバ４が接続されていないと判定したとき（判定結果がＮｏのとき）には、電動レボルバ４のためのボタン表示を表示器３０７に表示せずに、この操作画面表示処理を終了する。
【０１３０】
Ｓ３０７では、ハンドスイッチＩ／Ｏ５１０によって検出されるハンドスイッチ５００の接続有無の検出結果を制御部１０からコントローラ１３へと通信ドライバ２１２及び３０５を介して伝送し、ハンドスイッチ５００が顕微鏡本体６に接続されているか否かを、この検出結果に基づいて判定する処理がコントローラ１３で行われる。ここで、ハンドスイッチ５００が接続されていると判定したとき（判定結果がＹｅｓのとき）には、電動レボルバ４のためのボタン表示を表示器３０７に表示せずに、この操作画面表示処理を終了する。一方、ハンドスイッチ５００が接続されていないと判定したとき（判定結果がＮｏのとき）にはＳ３０８に処理を進める。
【０１３１】
Ｓ３０８では、電動レボルバ４についての操作部であるレボルバ穴切り替えボタン群４０７の位置及び形状のデータを不揮発性メモリ３０４から読み出し、このデータに基づいてレボルバ穴切り替えボタン群４０７を表示器３０７の操作画面に表示させる処理がコントローラ１３で行われる。
【０１３２】
Ｓ３０９では、レボルバセンサ群Ｓ１のうちの穴番号センサの出力に基づいて、光路上に挿入されている対物レンズ３が取り付けられている対物レンズ取り付け穴に付されている穴番号を示す情報を表示器３０７の操作画面に表示させる処理がコントローラ１３で行われ、その後はこの操作画面表示処理を終了する。
【０１３３】
以上までの処理が行われることによって、ハンドスイッチ５００が顕微鏡本体６に繋がれた場合には、コントローラ１３の表示器３０７に表示される操作画面が変更されて、顕微鏡装置の各構成ユニットに対する指示を行うために利用されるボタン表示のうちハンドスイッチ５００に含まれていないもののみが表示される。
【０１３４】
以上のように、本実施例によれば、顕微鏡装置に備えられている構成ユニットのための操作部をハンドスイッチ５００とコントローラ１３との２つで分担して提供し、両者間で操作部が重複しないようにした。従って、顕微鏡装置に装備する構成ユニットを増やしたことにより操作画面に表示すべき項目が多くなってしまっても、操作機能の一部がコントローラ１３からハンドスイッチ５００ヘと移されて操作画面は整理されるので、操作者が所望の操作部を見つけ難くなることが防止される結果、コントローラ１３の操作性が向上する。
【０１３５】
なお、顕微鏡装置に備えられる構成ユニットは上述した各実施例において挙げられていたものに限定されるものではない。顕微鏡装置に備えられる構成ユニットとしては、各実施例におけるものを含め、例えば以下のものを列挙することができる。
・観察像のコントラストを調整する開口絞りユニット。
・観察像の視野範囲を調整する視野絞りユニット。
・光源からの照明光路を切り換えることで、明視野観察（ＢＦ）、暗視野観察（ＤＦ）、微分干渉観察、位相差観察、蛍光観察のそれぞれの観察を行う光学素子を有するハーフミラーユニット。
・倍率の異なる光学レンズを切り替えるレボルバユニット。
・ハロゲンランプの印加電圧を調整することで、光量調整をする光源ユニット。
・試料を載置するステージや対物レンズをＸ−Ｙ方向（光軸に垂直な方向）に移動させるＸ−Ｙ移動ユニット。
・顕微鏡の焦準部を駆動（ステージや対物レンズの上下動）させるＺ移動ユニット。
・観察サンプルのピント調整を自動で行うＡＦユニット。
・ターレット上にＮＤフィルタ（減光フィルタ）が配置されており、色温度を変化させずに照明光量を減らし、あるいは調光を行うためのＮＤフィルタユニット。
・光源の前に配置され、照明光を瞬時に遮断するシャッターユニット。
・観察像をデジタルカメラ、またはＣＣＤカメラにより画像を取り込むカメラユニット。
【０１３６】
また、顕微鏡装置に備えられる各構成ユニットに設けられるセンサの出力信号を伝送するための通信手段や、コントローラ１３から各構成ユニットの駆動部に対して駆動指示信号を伝送するための通信手段として、ＣＡＮ（コントローラ・エリア・ネットワーク）を採用してもよい。
【０１３７】
また、実施例１において、コントローラ１３の操作画面に、各構成ユニットのセンサ群Ｓ１〜Ｓ６により検出される構成ユニットの状態を表示させることは必須ではなく、各構成ユニットのための操作部であるボタン表示のみを表示器３０７に表示させるようにしてもよい。
【０１３８】
また、実施例１において、コントローラ１３の操作画面上に表示する操作部であるボタン表示を機能毎に別々の形状としてもよく、また、機能毎に異なる色彩としてもよい。
また、実施例１及び実施例２においては、各構成ユニットの動作に対する指示の取得に利用される操作ボタン表示についての表示器３０７の表示画面上の位置及び形状についての情報を不揮発性メモリ３０４に予め格納しておくようにしていた。この代わりに、これらの情報を制御部１０の不揮発性メモリ２０４に予め格納しておくようにし、制御部１０は、これらの情報を不揮発性メモリ２０４から取得して前述した顕微鏡情報に含めてコントローラ１３へ送信するようにし、そして、コントローラ１３のＣＰＵ３０１は、顕微鏡本体６の制御部１０から送られてくる顕微鏡情報からこれらの情報を取り出し、取り出した情報に基づいた位置及び形状に従って、操作ボタン表示の含まれている操作画面を生成して表示器３０７に表示させるようにしてもよい。
【０１３９】
また、実施例３では、同一の構成ユニットについての操作部がハンドスイッチ５００とコントローラ１３とで重複しないようにした。このときに、ハンドスイッチ５００に操作部を設けた構成ユニットについての状態を示す情報はコントローラ１３の操作画面に表示させるようにしてもよい。このためには、図１１にフローチャートで処理内容を示した操作画面表示処理を制御部１０及びコントローラ１３で行うようにすればよい。
【０１４０】
この図１１の処理は、図９に示した操作画面表示処理にＳ３１１及びＳ３１２の処理が追加されたものである。このＳ３１１及びＳ３１２の処理は、それぞれＳ３０３及びＳ３０７の判定処理において、ハンドスイッチ５００が接続されていないとコントローラ１３が判定したときに実行されるものである。
【０１４１】
Ｓ３１１では、開口絞りセンサ群Ｓ３のうちの開口絞り孔径センサの出力に基づいて、羽根絞り１０４ａの現在の絞り量の情報を表示器３０７の操作画面に表示させる処理がコントローラ１３で行われ、その後はＳ３０６に処理を進める。
【０１４２】
また、Ｓ３１２では、レボルバセンサ群Ｓ１のうちの穴番号センサの出力に基づいて、光路上に挿入されている対物レンズ３が取り付けられている対物レンズ取り付け穴に付されている穴番号を示す情報を表示器３０７の操作画面に表示させる処理がコントローラ１３で行われ、その後はこの操作画面表示処理を終了する。
【０１４３】
以上の図１１の処理が行われることによって、ハンドスイッチ５００に操作部を設けた構成ユニットについての状態を示す情報がコントローラ１３の操作画面に表示させるようになる。
【０１４４】
また、実施例３では、ハンドスイッチ５００とコントローラ１３との両者が共に顕微鏡本体６に接続されるものとしていた。この代わりに、コントローラ１３にハンドスイッチＩ／Ｏを設け、ハンドスイッチ５００をコントローラ１３に接続する形態としてもよい。なお、実施例３では、ハンドスイッチ５００が顕微鏡本体６へ接続されたことが検出されると、コントローラ１３の表示器３０７に表示される操作画面の変更を行うようにしていた。ここで、ハンドスイッチ５００をコントローラ１３に対して着脱自在な形態とした場合には、ハンドスイッチ５００がコントローラ１３へ接続されたことが検出されると、コントローラ１３の表示器３０７に表示される操作画面の変更を行うようにしてもよい。すなわち、ハンドスイッチ５００がコントローラ１３へ接続されたことが検出された場合に、ＣＰＵ３０１が、顕微鏡装置に備えられている構成ユニットのうち、コントローラ１３が動作に対する指示を取得するものを除いた構成ユニットのみについての操作ボタン表示を配置した操作画面を表示器３０７に表示させるようにしてもよい。
【０１４５】
その他、本発明は、上述した実施形態に限定されることなく、本発明の要旨を逸脱しない範囲内で種々の改良・変更が可能である。
【図面の簡単な説明】
【０１４６】
【図１】本発明を実施する顕微鏡装置の構成を示す図である。
【図２】図１の顕微鏡装置における制御部の内部構成の第一の例を示す図である。
【図３】図１の顕微鏡装置におけるコントローラの内部構成を示す図である。
【図４Ａ】実施例１に係る操作画面の第一の例を示す図である。
【図４Ｂ】実施例１に係る操作画面の第二の例を示す図である。
【図５】実施例１に係る操作画面表示処理の処理内容をフローチャートで示した図である。
【図６Ａ】実施例２に係る操作画面の第一の例を示す図である。
【図６Ｂ】実施例２に係る操作画面の第二の例を示す図である。
【図７】実施例２に係る操作画面表示処理の処理内容をフローチャートで示した図である。
【図８】ハンドスイッチの上面の構成を示す図である。
【図９】図１の顕微鏡装置における制御部の内部構成の第二の例を示す図である。
【図１０】実施例３に係る操作画面表示処理の処理内容をフローチャートで示した図である。
【図１１】実施例３の変形例に係る操作画面表示処理の処理内容をフローチャートで示した図である。
【符号の説明】
【０１４７】
１  標本
２  ステージ
３  対物レンズ
４  電動レボルバ
５  焦準ユニット
６  顕微鏡本体
７  鏡筒
８  接眼レンズ
１０  制御部
１１  電源部
１２  調光部
１３  コントローラ
１４  照明光学系
１５  観察光学系
１０１  光源
１０２  コレクタレンズ
１０３  リレーレンズ
１０４  開口絞りユニット
１０４ａ  羽根絞り
１０５  視野絞りユニット
１０５ａ  羽根絞り
１０６  ハーフミラーユニット
１０６ａ  明視野用ハーフミラー
１０６ｂ  暗視野用ハーフミラー
１０７  結像レンズ
１０８  リレーレンズ
２０１、３０１  ＣＰＵ
２０２、３０２  ＲＡＭ
２０３、３０３  ＲＯＭ
２０４、３０４  不揮発性メモリ
２０５ａ、２０５ｂ、２０５ｃ、２０５ｄ、２０５ｅ  Ｉ／Ｏ
２０６  開口絞り制御駆動回路
２０７  視野絞り制御駆動回路
２０８  ハーフミラー制御駆動回路
２０９  電動レボルバ制御駆動回路
２１０  焦準ユニット制御駆動回路
２１１  ランプ基準電圧調整回路
２１２、３０５  通信ドライバ
２１３、３０８  バス
３０６  タッチパネルコントローラＩＣ
３０７  表示器
４０１  ＡＳ開ボタン
４０２  ＡＳ閉ボタン
４０３  ＦＳ開ボタン
４０４  ＦＳ閉ボタン
４０５  明視野用ハーフミラー切り替えボタン
４０６  暗視野用ハーフミラー切り替えボタン
４０７  レボルバ穴切り替えボタン群
４０８  Ｚｕｐボタン
４０９  Ｚｄｏｗｎボタン
４１０  ＬｉｇｈｔＵＰボタン
４１１  ＬｉｇｈｔＤＯＷＮボタン
４１２  状態表示部
４１３  視野絞りインジケータ
４１４  開口絞りインジケータ
４１５  光源インジケータ
４１６  Ｚステージインジケータ
４１７  穴番号表示
４２１  レボルバ順回転ボタン
４２２  レボルバ逆回転ボタン
５００  ハンドスイッチ
５０１  ＡＳ開ボタン
５０２  ＡＳ閉ボタン
５０３  レボルバ切り替えボタン
５０４  開口絞りインジケータ
５０５  穴番号表示
５１０  ハンドスイッチＩ／Ｏ
Ｍ１  レボルバモータ
Ｍ２  焦準ユニットモータ
Ｍ３  開口絞り駆動モータ
Ｍ４  視野絞り駆動モータ
Ｍ５  ハーフミラー駆動モータ
Ｓ１  レボルバセンサ群
Ｓ２  焦準ユニットセンサ群
Ｓ３  開口絞りセンサ群
Ｓ４  視野絞りセンサ群
Ｓ５  ハーフミラーセンサ群
Ｓ６  光ランプ接続センサ
【図１】
2008158379.tif 000003
【図２】
2008158379.tif 000004
【図３】
2008158379.tif 000005
【図４Ａ】
2008158379.tif 000006
【図５】
2008158379.tif 000007
【図６Ａ】
2008158379.tif 000008
【図６Ｂ】
2008158379.tif 000009
【図７】
2008158379.tif 000010
【図９】
2008158379.tif 000011
【図１０】
2008158379.tif 000012
【図１１】
2008158379.tif 000013
【図４Ｂ】
2008158379.tif 000014
【図８】
2008158379.tif 000015